(57)【要約】【課題】半導体モジュールの周囲に配された発熱部品の温度上昇を効果的に防ぐことができる電力変換装置を提供すること。【解決手段】半導体モジュール２を複数個積層して構成してなる電力変換装置１。半導体モジュール２は、半導体素子２１と放熱板２２と封止部２３と壁部２４と貫通冷媒流路４１とを有する。複数の半導体モジュール２は放熱面２２１の法線方向に積層されている。積層方向の両端に配される半導体モジュール２には蓋部３が配設されている。隣り合う半導体モジュール２の間及び蓋部３と半導体モジュール２との間であって壁部２４の内側には、沿面冷媒流路４２が形成されている。一方の蓋部３には冷媒導入管５１及び冷媒排出管５２が配設されている。壁部２４、蓋部３、冷媒導入管５１及び冷媒排出管５２の少なくともいずれかは、外側面及び内側面の少なくとも一方に凹凸部１４を設けてなる。【選択図】図２
2012005191.tif 000002
【特許請求の範囲】
【請求項１】
半導体素子を内蔵した半導体モジュールを複数個積層して構成してなる電力変換装置であって、
上記半導体モジュールは、上記半導体素子と、該半導体素子と熱的に接続された放熱板と、該放熱板の放熱面を露出させた状態で上記半導体素子及び上記放熱板を封止する封止部と、上記放熱面の法線方向に直交する方向における上記封止部の周囲に形成されると共に上記放熱面よりも上記法線方向に突出した壁部と、該壁部と上記封止部との間に形成された貫通冷媒流路とを有し、
複数の上記半導体モジュールは、上記放熱面の法線方向に積層されており、
積層方向の両端に配される上記半導体モジュールには、上記壁部における積層方向の外側の開口部を覆う蓋部が配設されており、
隣り合う上記半導体モジュールの間及び上記蓋部と上記半導体モジュールとの間であって上記壁部の内側には、上記貫通冷媒流路に連通すると共に上記放熱面に沿った沿面冷媒流路が形成されており、
上記一対の蓋部のうちの一方には、上記冷却媒体を上記貫通冷媒流路及び上記沿面冷媒流路に導入、排出する、冷媒導入管及び冷媒排出管が配設されており、
かつ、上記壁部、上記蓋部、上記冷媒導入管、及び上記冷媒排出管の少なくともいずれかは、外側面及び内側面の少なくとも一方に凹凸部を設けてなることを特徴とする電力変換装置。
【請求項２】
請求項１に記載の電力変換装置において、上記凹凸部は、上記壁部に設けてあることを特徴とする電力変換装置。
【請求項３】
請求項１又は２に記載の電力変換装置において、上記凹凸部は、上記貫通冷媒流路の周囲に設けてあることを特徴とする電力変換装置。
【請求項４】
請求項１〜３のいずれか一項に記載の電力変換装置において、上記凹凸部は、上記蓋部に設けてあることを特徴とする電力変換装置。
【請求項５】
請求項１〜４のいずれか一項に記載の電力変換装置において、上記凹凸部は、上記冷媒導入管、及び上記冷媒排出管の少なくとも一方に設けてあることを特徴とする電力変換装置。
【請求項６】
請求項１〜５のいずれか一項に記載の電力変換装置において、上記凹凸部は、上記壁部、上記蓋部、上記冷媒導入管、及び上記冷媒排出管の少なくともいずれかの外側面に設けてあることを特徴とする電力変換装置。
【請求項７】
請求項１〜６のいずれか一項に記載の電力変換装置において、上記凹凸部は、上記壁部、上記蓋部、上記冷媒導入管、及び上記冷媒排出管の少なくともいずれかの内側面に設けてあることを特徴とする電力変換装置。
【発明の詳細な説明】
【技術分野】
【０００１】
本発明は、半導体素子を内蔵すると共に該半導体素子を冷却するための冷媒流路を内部に設けた半導体モジュールを、複数個積層して構成してなる電力変換装置に関する。
【背景技術】
【０００２】
例えば、電気自動車やハイブリッド自動車等に搭載されるインバータ等の電力変換装置として、図３４に示すごとく、半導体素子９２１を内蔵すると共に該半導体素子９２１を冷却するための冷媒流路９４を内部に設けた半導体モジュール９２を、複数個積層して構成してなる電力変換装置９がある（特許文献１）。
【０００３】
この電力変換装置９における半導体モジュール９２は、半導体素子９２１と、該半導体素子９２１と熱的に接続された放熱板９２２と、該放熱板９２２の放熱面９２５を露出させた状態で半導体素子９２１及び放熱板９２２を封止する樹脂からなる封止部９２３と、該封止部９２３の周囲に形成された樹脂からなる壁部９２４とを有する。そして、壁部９２４と封止部９２３との間に冷媒流路９４を有する。
すなわち、半導体モジュール９２は、半導体素子９２１を放熱板９２２と共に樹脂モールドするとともに、その内部に冷媒流路９４となる空間を形成している。
【０００４】
電力変換装置９は、複数の半導体モジュール９２を放熱面９２５の法線方向に積層し、連結して構成されている。これにより、隣り合う半導体モジュール９２における放熱板９２２の放熱面９２５同士の間にも冷媒流路９４が形成される。
そして、冷媒流路９４に冷却媒体Ｗを流通させることにより、半導体素子９２１の冷却を行うことができる。
【０００５】
かかる電力変換装置９は、上記のように複数の半導体モジュール９２を積層することによって、冷媒流路９４を備えた状態で構成されるため、別途冷却器を設ける必要がなく、簡素化、小型化、かつ組立容易化を実現することができる。
【先行技術文献】
【特許文献】
【０００６】
【特許文献１】特開２００６−１６５５３４号公報
【発明の概要】
【発明が解決しようとする課題】
【０００７】
しかしながら、上記電力変換装置９においては以下の問題がある。
すなわち、電力変換装置９には、半導体素子９２１以外にも、例えばコンデンサ、リアクトル、バスバー等の発熱部品が存在する。それゆえ、これらについても、冷媒流路９４を流通する冷却媒体Ｗによって冷却する必要がある。すなわち、冷却媒体Ｗによって、冷媒流路９４の周囲の雰囲気温度を低下させることにより、周囲の雰囲気を通じて上記発熱部品を冷却することが必要となる。
【０００８】
ところが、半導体モジュール９２は、上記のごとく、樹脂からなる壁部９２４によって覆われており、冷媒流路９４は壁部９２４の内側にある。そのため、熱伝導率が特に高くない樹脂からなる壁部９２４を通じて、周囲の雰囲気を冷却することとなり、その冷却効率が充分に得られ難い。その結果、半導体モジュール９２の周囲に配された発熱部品の温度上昇を防ぐことが困難となるおそれがある。
【０００９】
本発明は、かかる問題点に鑑みてなされたもので、半導体モジュールの周囲に配された発熱部品の温度上昇を効果的に防ぐことができる電力変換装置を提供しようとするものである。
【課題を解決するための手段】
【００１０】
本発明は、半導体素子を内蔵した半導体モジュールを複数個積層して構成してなる電力変換装置であって、
上記半導体モジュールは、上記半導体素子と、該半導体素子と熱的に接続された放熱板と、該放熱板の放熱面を露出させた状態で上記半導体素子及び上記放熱板を封止する封止部と、上記放熱面の法線方向に直交する方向における上記封止部の周囲に形成されると共に上記放熱面よりも上記法線方向に突出した壁部と、該壁部と上記封止部との間に形成された貫通冷媒流路とを有し、
複数の上記半導体モジュールは、上記放熱面の法線方向に積層されており、
積層方向の両端に配される上記半導体モジュールには、上記壁部における積層方向の外側の開口部を覆う蓋部が配設されており、
隣り合う上記半導体モジュールの間及び上記蓋部と上記半導体モジュールとの間であって上記壁部の内側には、上記貫通冷媒流路に連通すると共に上記放熱面に沿った沿面冷媒流路が形成されており、
上記一対の蓋部のうちの一方には、上記冷却媒体を上記貫通冷媒流路及び上記沿面冷媒流路に導入、排出する、冷媒導入管及び冷媒排出管が配設されており、
かつ、上記壁部、上記蓋部、上記冷媒導入管、及び上記冷媒排出管の少なくともいずれかは、外側面及び内側面の少なくとも一方に凹凸部を設けてなることを特徴とする電力変換装置にある（請求項１）。
【発明の効果】
【００１１】
上記電力変換装置においては、上記壁部、上記蓋部、上記冷媒導入管、及び上記冷媒排出管の少なくともいずれかは、外側面及び内側面の少なくとも一方に凹凸部を設けてなる。すなわち、冷却媒体に接する部位のいずれかが、外側面と内側面との少なくとも一方に上記凹凸部を有することとなる。
【００１２】
ここで、これらの部位の外側面に上記凹凸部が形成されている場合には、外側面とその周囲の雰囲気との間の接触面積が大きくなり、両者間の熱交換効率が高くなる。その結果、上記冷却媒体によって、上記半導体モジュールの周囲の雰囲気温度を低く保ちやすくすることができる。
【００１３】
また、上記壁部、上記蓋部、上記冷媒導入管、及び上記冷媒排出管の少なくともいずれかの内側面に上記凹凸部が形成されている場合には、内側面と冷却媒体との接触面積が大きくなり、両者間の熱交換効率が高くなる。その結果、上記半導体モジュールの周囲の雰囲気温度を低く保ちやすくすることができる。
【００１４】
それゆえ、上記凹凸部が、上記壁部、上記蓋部、上記冷媒導入管、及び上記冷媒排出管の少なくともいずれかの外側面に設けてある場合、内側面に設けてある場合、或いは両面に設けてある場合のいずれであっても、上記半導体モジュールの周囲の雰囲気温度を低く保ちやすくすることができる。したがって、上記半導体モジュールの周囲に配置された、コンデンサ、リアクトル、バスバー等の上記電力変換装置を構成する発熱部品の温度上昇を効果的に抑制することができる。
【００１５】
以上のごとく、本発明によれば、半導体モジュールの周囲に配された発熱部品の温度上昇を効果的に防ぐことができる電力変換装置を提供することができる。
【図面の簡単な説明】
【００１６】
【図１】実施例１における、電力変換装置の斜視展開図。
【図２】実施例１における、図１のＡ−Ａ線矢視断面相当の電力変換装置の断面図。
【図３】実施例１における、半導体モジュールの斜視図。
【図４】実施例１における、半導体モジュールの正面図。
【図５】図４のＢ−Ｂ線矢視断面図。
【図６】実施例１における、電力変換装置の回路図。
【図７】実施例２における、電力変換装置の断面図。
【図８】実施例２における、半導体モジュールの正面図。
【図９】実施例３における、電力変換装置の断面図。
【図１０】実施例３における、半導体モジュールの正面図。
【図１１】図１０のＣ−Ｃ線矢視断面図。
【図１２】実施例４における、電力変換装置の断面図。
【図１３】実施例４における、半導体モジュールの正面図。
【図１４】実施例５における、電力変換装置の断面図。
【図１５】実施例５における、半導体モジュールの正面図。
【図１６】図１５のＤ−Ｄ線矢視断面図。
【図１７】実施例６における、電力変換装置の断面図。
【図１８】実施例６における、半導体モジュールの正面図。
【図１９】実施例７における、電力変換装置の断面図。
【図２０】実施例７における、半導体モジュールの正面図。
【図２１】図２０のＥ−Ｅ線矢視断面図。
【図２２】実施例８における、電力変換装置の断面図。
【図２３】実施例８における、半導体モジュールの正面図。
【図２４】実施例９における、壁部の外側面に凹凸部を設けた半導体モジュールの正面図。
【図２５】実施例９における、壁部の内側面に凹凸部を設けた半導体モジュールの正面図。
【図２６】実施例１０における、蓋部の外側面に鋸歯状の凹凸部を設けた電力変換装置の断面図。
【図２７】実施例１０における、蓋部の外側面にピン状の凹凸部を設けた電力変換装置の断面図。
【図２８】実施例１０における、蓋部の内側面に鋸歯状の凹凸部を設けた電力変換装置の断面図。
【図２９】実施例１０における、蓋部の内側面にピン状の凹凸部を設けた電力変換装置の断面図。
【図３０】実施例１１における、電力変換装置の断面図。
【図３１】図３０のＦ−Ｆ線矢視断面図。
【図３２】実施例１２における、電力変換装置の断面図。
【図３３】図３２のＧ−Ｇ線矢視断面図。
【図３４】背景技術における、電力変換装置の断面図。
【発明を実施するための形態】
【００１７】
本発明において、上記複数の半導体モジュールの積層方向は、上記放熱面の法線方向と略平行であればよく、隣り合う半導体モジュールの上記半導体素子間に、上記放熱面に沿った上記沿面冷媒流路が形成される状態であればよい。
また、上記半導体モジュールにおける上記放熱板は、上記半導体素子を両側から挟持する状態で配設されていることが好ましいが、上記半導体素子の一方の面側のみに配設されていてもよい。
【００１８】
また、上記封止部と上記壁部とは、樹脂によって成形されていることが好ましい。この場合には、上記封止部、上記壁部、及びこれらの間に形成される上記貫通冷媒流路を容易に形成することができ、電力変換装置の構成の簡素化、小型化、低コスト化を実現することができる。そして、この場合、上記壁部の熱伝導率が低くなりやすいため、冷却媒体による半導体モジュールの周囲の雰囲気の冷却を効率的に行い難くなるが、本発明を適用して伝熱面積を大きくすることにより、周囲の雰囲気温度を低く保ちやすくすることができる。その結果、上記半導体モジュールの周囲の雰囲気温度の上昇を防ぎつつ、電力変換装置の簡素化、小型化、低コスト化を、効率的に行うことができる。
【００１９】
また、上記凹凸部は、上記壁部に設けることが好ましい（請求項２）。
この場合には、上記壁部を介して、上記冷却媒体と、上記半導体モジュールの周囲の雰囲気との間の熱交換効率を高くすることができる。その結果、上記冷却媒体によって、上記半導体モジュールの周囲の雰囲気温度を低く保ちやすくすることができ、上記半導体モジュールの周囲に配置された上記発熱部品の温度上昇を効果的に抑制することができる。
【００２０】
また、上記凹凸部は、上記貫通冷媒流路の周囲に設けてあることが好ましい（請求項３）。
この場合には、上記壁部を介して、上記貫通冷媒流路を流れる冷却媒体と、上記半導体モジュールの周囲の雰囲気との間の熱交換効率を高くすることができる。貫通冷媒流路を流れる冷却媒体は、上記半導体素子からの受熱量が比較的少なくなりやすく、低温となりやすい。そのため、貫通冷媒流路を流れる冷却媒体と熱交換される雰囲気は、温度がより低くなりやすい。それゆえ、上記構成によれば、上記発熱部品の温度上昇をより効果的に抑制することができる。
【００２１】
また、上記凹凸部は、上記蓋部に設けてあってもよい（請求項４）。
この場合には、比較的広い面積に上記凹凸部を形成しやすくなるため、その周囲の雰囲気温度を効果的に低下させることができる。
【００２２】
また、上記凹凸部は、上記冷媒導入管、及び上記冷媒排出管の少なくとも一方に設けてあってもよい（請求項５）。
この場合には、上記半導体素子からの受熱量が比較的少なくなりやすい上記冷媒導入管及び冷媒排出管の少なくとも一方を流れる冷却媒体によって、周囲の雰囲気を冷却することができるため、その冷却効率を高くすることができる。
【００２３】
また、上記凹凸部は、上記壁部、上記蓋部、上記冷媒導入管、及び上記冷媒排出管の少なくともいずれかの外側面に設けることができる（請求項６）。
この場合には、外側面とその周囲の雰囲気との間の接触面積が大きくなり、両者間の熱交換効率が高くなる。その結果、上記冷却媒体によって、上記半導体モジュールの周囲の雰囲気温度を低く保ちやすくすることができる。
【００２４】
また、上記凹凸部は、上記壁部、上記蓋部、上記冷媒導入管、及び上記冷媒排出管の少なくともいずれかの内側面に設けることもできる（請求項７）。
この場合には、内側面と冷却媒体との接触面積が大きくなり、両者間の熱交換効率が高くなる。その結果、上記半導体モジュールの周囲の雰囲気温度を低く保ちやすくすることができる。
【実施例】
【００２５】
（実施例１）
本発明の実施例にかかる電力変換装置につき、図１〜図６を用いて説明する。
本例の電力変換装置１は、図１、図２に示すごとく、半導体素子２１を内蔵した半導体モジュール２を複数個積層して構成してなる。
【００２６】
半導体モジュール２は、図２〜図５に示すごとく、半導体素子２１と、放熱板２２と、封止部２３と、壁部２４と、貫通冷媒流路４１とを有する。
放熱板２２は、半導体素子２１と熱的に接続されている。封止部２３は、放熱板２２の放熱面２２１を露出させた状態で半導体素子２１及び放熱板２２を封止している。壁部２４は、放熱面２２１の法線方向に直交する方向における封止部２３の周囲に形成されると共に放熱面２２１よりも法線方向に突出している。貫通冷媒流路４１は、壁部２４と封止部２３との間に形成されている。
【００２７】
図１、図２に示すごとく、複数の半導体モジュール２は、放熱面２２１の法線方向に積層されている。
積層方向の両端に配される半導体モジュール２１には、壁部２４における積層方向の外側の開口部を覆う蓋部３が配設されている。
隣り合う半導体モジュール２の間及び蓋部３と半導体モジュール２との間であって壁部２４の内側には、貫通冷媒流路４１に連通すると共に放熱面２２１に沿った沿面冷媒流路４２が形成されている。
【００２８】
一対の蓋部３のうちの一方には、冷却媒体Ｗを貫通冷媒流路４１及び沿面冷媒流路４２に導入、排出する、冷媒導入管５１及び冷媒排出管５２が配設されている。
そして、壁部２４は、外側面に凹凸部１４を設けてなる。
【００２９】
本例の電力変換装置１は、電気自動車やハイブリッド自動車等に搭載され、図６に示すごとく、直流電源（バッテリー１０１）と交流負荷（三相交流の回転電機１０２）との間の電力変換を行うよう構成されている。
半導体モジュール２は、図２に示すごとく、２個の半導体素子２１を備えている。具体的には、半導体モジュール２に内蔵された半導体素子２１の一方は、ＩＧＢＴ（絶縁ゲート型バイポーラトランジスタ）等からなるスイッチング素子であり、他方は、スイッチング素子に逆並列接続されたＦＷＤ（フリーホイールダイオード）等のダイオードである（図６参照）。
【００３０】
各半導体モジュール２は、半導体素子２１を両側から挟持するように配設された一対の金属製の放熱板２２を有する。そして、これらの放熱板２２は、はんだ２２２を介して半導体素子２１に電気的、熱的に接続されている。２個の半導体素子２１と一対の放熱板２２とは、各放熱板２２の放熱面２２１を露出させながら、樹脂製の封止部２３によって一体化されて封止されている。封止部２３は、放熱面２２１の全周に形成されている。
また、放熱面２２１の法線方向に直交する方向の全周にわたって封止部２３を囲むように、樹脂製の壁部２４が形成されている。
【００３１】
図３〜図５に示すごとく、封止部２３及び壁部２４からは、放熱面２２１の法線方向に直交する方向に、一対の主電極端子２５１が突出し、その反対方向に、複数の制御端子２５２が突出している。主電極端子２５１には、被制御電流用のバスバー（図示略）が接続され、制御端子２５２は、スイッチング素子（半導体素子２１）を制御等するための制御回路（図示略）に接続される。
【００３２】
また、放熱面２２１の法線方向に直交する方向であって、主電極端子２５１及び制御端子２５２の突出方向に直交する方向（以下、「横方向」という。）における、封止部２３と壁部２４との間に、一対の貫通冷媒流路４１が形成されている。
また、壁部２４は、一対の放熱面２２１よりも、放熱面２２１の法線方向に突出している。
【００３３】
そして、壁部２４の外側面に凹凸部１４が形成されている。本例においては、凹凸部１４は中央部が外側へ突出するような一対のテーパ面によって構成されている。そして、凹凸部１４は、壁部２４における、積層方向に直交する方向の全周にわたって形成されている。すなわち、図２、図５に示すごとく、主電極端子２５１及び制御端子２５２と平行な方向にも、横方向にも、壁部２４は、その中央部が外側へ突出するようなテーパ状の凹凸部１４を外側面に形成してなる。
この凹凸部１４は、少なくとも貫通冷媒流路４１の周囲には設けてあり、それ以外の部位にも設けてある。
【００３４】
図１、図２に示すごとく、電力変換装置１は、複数の半導体モジュール２を、放熱面２２１の法線方向に積層することにより、構成されている。図１、図２においては、半導体モジュール２を３個積層した図を示しているが、実際の電力変換装置１は、より多数の半導体モジュール２を積層してなり、その積層数は特に限定されるものではない。
【００３５】
複数の半導体モジュール２は、壁部２４において互いに連結されている。そして、電力変換装置１における積層方向の両端に、樹脂製の蓋部３が、半導体モジュール２の壁部２４の開口部を塞ぐように取り付けてある。隣り合う半導体モジュール２の壁部２４の間や、半導体モジュール２の壁部２４と蓋部３との間には、水密性を確保するためのシール部材を介在させることができる。
【００３６】
一対の蓋部３のうちの一方には、貫通冷媒流路４１及び沿面冷媒流路４２へ冷却媒体Ｗを導入するための冷媒導入管５１と、冷却媒体Ｗを排出するための冷媒排出管５２とが取り付けてある。これらの冷媒導入管５１及び冷媒排出管５２は、樹脂からなる。
なお、蓋部３、冷媒導入管５１及び冷媒排出管５２は、金属製、或いはセラミック製等、他の材質とすることもできる。
【００３７】
このように、複数の半導体モジュール２と一対の蓋部３とを積層して連結することにより、図２に示すごとく、内部に貫通冷媒流路４１と沿面冷媒流路４２とが連続した冷媒流路４が、壁部２４と蓋部３とによって囲まれた内側の空間に形成される。この状態において、各半導体モジュール２に設けられた一対の貫通冷媒流路４１は、それぞれ一直線上に配列した状態で連結される。沿面冷媒流路４２は、隣り合う半導体モジュール２の放熱面２２１同士の間、及び半導体モジュール２と蓋部３との間に、貫通冷媒流路４１に直交するように、かつこれらに連結するように形成される。
【００３８】
これにより、冷媒導入管５１から冷媒流路４に導入された冷却媒体Ｗは、貫通冷媒流路４１を適宜通過しながら、各半導体モジュール２における一対の放熱面２２１に接触する沿面冷媒流路４２を通過する。ここで、半導体素子２１と熱交換した冷却媒体Ｗは、他方の貫通冷媒流路４１を適宜通過して、冷媒排出管５２から排出される。
なお、冷却媒体Ｗとしては、例えば、水やアンモニア等の自然冷媒、エチレングリコール系の不凍液を混入した水、フロリナート等のフッ化炭素系冷媒、ＨＣＦＣ１２３、ＨＦＣ１３４ａ等のフロン系冷媒、メタノール、アルコール等のアルコール系冷媒、アセトン等のケトン系冷媒等を用いることができる。
【００３９】
本例の電力変換装置１は、図６に示す電力変換回路を構成しており、直流電源（バッテリー１０１）の電圧を昇圧するコンバータ１１と、昇圧した直流電力を交流電力に変換して交流負荷（回転電機１０２）へ出力するインバータ１２とを有する。インバータ１２及びコンバータ１１は、上記の機能と反対の機能、すなわち、交流電力を直流電力へ変換する機能、及び直流電力を降圧する機能をもそれぞれ備えている。
【００４０】
コンバータ１１は、複数の半導体モジュール２、リアクトル１１１、及びフィルタコンデンサ１１２によって構成されている。インバータ１２は、複数の半導体モジュール２、スナバコンデンサ１２１を備えている。さらにコンバータ１１とインバータ１２との間には、平滑コンデンサ１３１、放電抵抗１３２が配線されている。
そして、電力変換装置１は、これらのリアクトル１１１、フィルタコンデンサ１１２、スナバコンデンサ１２１、平滑コンデンサ１３１、放電抵抗１３２等の構成部品（発熱部品）を、複数の半導体モジュール２の積層体の周囲に配置してなる（図示略）。また、半導体モジュール２の主電極端子２５１に接続されるバスバー（図示略）も、半導体モジュール２の積層体の周囲に配される発熱部品である。
【００４１】
また、これらの構成部品（発熱部品）は、複数の半導体モジュール２の積層体と共に、一つの金属ケース（図示略）に収容され、車両のエンジンルーム等に搭載されている。そして、複数の半導体モジュール２の積層体の表面の一部は、壁部２４の外側面に形成された上記凹凸部１４によって構成されている。これにより、壁部２４の内側に形成された冷媒流路４内を流れる冷却媒体Ｗが、金属ケース内の雰囲気を、壁部２４を介して効率的に冷却することができるよう構成されている。
【００４２】
次に、本例の作用効果につき説明する。
電力変換装置１において、壁部２４は外側面に凹凸部１４を設けてなる。そのため、壁部２４の外側面とその周囲の雰囲気との間の接触面積が大きくなり、両者間の熱交換効率が高くなる。その結果、壁部２４の内側の冷媒流路４を流れる冷却媒体Ｗによって、半導体モジュール２の周囲の雰囲気温度を低く保ちやすくすることができる。
【００４３】
したがって、半導体モジュール２の周囲に配置された、リアクトル１１１、フィルタコンデンサ１１２、スナバコンデンサ１２１、平滑コンデンサ１３１、放電抵抗１３２、バスバー等、電力変換装置１を構成する発熱部品の温度上昇を効果的に抑制することができる。
【００４４】
また、凹凸部１４は壁部２４に設けてあるため、壁部２４を介して、冷却媒体Ｗと半導体モジュール２の周囲の雰囲気との間の熱交換効率を高くすることができる。その結果、冷却媒体Ｗによって、半導体モジュール２の周囲の雰囲気温度を低く保ちやすくすることができ、発熱部品の温度上昇を効果的に抑制することができる。
【００４５】
また、凹凸部１４は、貫通冷媒流路４１の周囲に設けてある。そのため、壁部２４を介して、貫通冷媒流路４１を流れる冷却媒体Ｗと、半導体モジュール２の周囲の雰囲気との間の熱交換効率を高くすることができる。貫通冷媒流路４１を流れる冷却媒体Ｗは、半導体素子２１からの受熱量が比較的少なくなりやすく、低温となりやすい。そのため、貫通冷媒流路４１を流れる冷却媒体Ｗと熱交換される雰囲気は、温度がより低くなりやすい。それゆえ、凹凸部１４を貫通冷媒流路４１の周囲に設けることにより、発熱部品の温度上昇をより効果的に抑制することができる。
【００４６】
以上のごとく、本例によれば、半導体モジュールの周囲に配された発熱部品の温度上昇を効果的に防ぐことができる電力変換装置を提供することができる。
【００４７】
（実施例２）
本例は、図７、図８に示すごとく、壁部２４の外側面に設けた凹凸部１４の形状を変更した例である。
すなわち、本例の電力変換装置１における凹凸部１４は、図８に示すごとく、積層方向から見た形状が鋸歯状となるような形状を有する。そして、この鋸歯状の凹凸部１４は、壁部２４の外側面の全周にわたって形成されている。
その他は、実施例１と同様である。
【００４８】
本例の場合には、壁部２４の外側面の表面積がより大きくなり、壁部２４と周囲の雰囲気との接触面積をより大きくすることができる。その結果、周囲の雰囲気をより効果的に冷却することができる。
その他、実施例１と同様の作用効果を有する。
【００４９】
（実施例３）
本例は、図９〜図１１に示すごとく、壁部２４の外側面に設けた凹凸部１４を、主電極端子２５１及び制御端子２５２の突出方向から見た形状、及び、横方向から見た形状において、鋸歯状となるような形状とした例である。
その他は、実施例１と同様である。
本例の場合にも、壁部２４と周囲の雰囲気との接触面積をより大きくすることができ、雰囲気温度をより効果的に低下させることができる。
その他、実施例１と同様の作用効果を有する。
【００５０】
（実施例４）
本例は、図１２、図１３に示すごとく、壁部２４の外側面に設けた凹凸部１４を、多数のピンを立設した形状とした例である。
そして、凹凸部１４は、壁部２４の外側面の全周にわたって形成されている。
その他は、実施例１と同様である。
本例の場合にも、壁部２４と周囲の雰囲気との接触面積をより大きくすることができ、雰囲気温度をより効果的に低下させることができる。
その他、実施例１と同様の作用効果を有する。
【００５１】
（実施例５）
本例は、図１４〜図１６に示すごとく、壁部２４の内側面に凹凸部１４を設けた例である。
各半導体モジュール２は、壁部２４の中央部が内方へ突出するような一対のテーパ面によって構成されている。そして、凹凸部１４は、壁部２４における、貫通冷媒流路４１に面する部分の全体にわたって形成されている。すなわち、図１４、図１６に示すごとく、主電極端子２５１及び制御端子２５２と平行な方向にも、横方向にも、壁部２４は、その中央部が内側へ突出するようなテーパ状の凹凸部１４を形成してなる。
その他は、実施例１と同様である。
【００５２】
本例の場合には、壁部２４の内側面と冷却媒体Ｗとの接触面積が大きくなり、両者間の熱交換効率が高くなる。その結果、半導体モジュール２の周囲の雰囲気温度を低く保ちやすくすることができる。
その他、実施例１と同様の作用効果を有する。
【００５３】
（実施例６）
本例は、図１７、図１８に示すごとく、壁部２４の内側面に設けた凹凸部１４の形状を変更した例である。
すなわち、本例の電力変換装置１における凹凸部１４は、積層方向から見た形状が鋸歯状となるような形状を有する。そして、この鋸歯状の凹凸部１４は、壁部２４の内側面の全周にわたって形成されている。
その他は、実施例５と同様である。
【００５４】
本例の場合には、壁部２４の内側面、すなわち冷媒流路４に接する面の表面積がより大きくなり、壁部２４と冷却媒体Ｗとの接触面積をより大きくすることができる。その結果、雰囲気温度をより効果的に低下させることができる。
その他、実施例５と同様の作用効果を有する。
【００５５】
（実施例７）
本例は、図１９〜図２１に示すごとく、壁部２４の内側面に設けた凹凸部１４を、主電極端子２５１及び制御端子２５２の突出方向から見た形状、及び、横方向から見た形状において、鋸歯状となるような形状とした例である。
その他は、実施例５と同様である。
本例の場合にも、壁部２４と冷却媒体Ｗとの接触面積をより大きくすることができ、雰囲気温度をより効果的に低下させることができる。
その他、実施例５と同様の作用効果を有する。
【００５６】
（実施例８）
本例は、図２２、図２３に示すごとく、壁部２４の内側面に設けた凹凸部１４を、多数のピンを立設した形状とした例である。
そして、凹凸部１４は、壁部２４の内側面の全周にわたって形成されている。
その他は、実施例５と同様である。
【００５７】
本例の場合にも、壁部２４と冷却媒体Ｗとの接触面積をより大きくすることができ、雰囲気温度をより効果的に低下させることができる。
その他、実施例５と同様の作用効果を有する。
【００５８】
（実施例９）
本例は、図２４、図２５に示すごとく、貫通冷媒流路４１の周囲にのみ凹凸部１４を設けた例である。
凹凸部１４は、図２４に示すごとく、壁部２４の外側面に設けてもよいし、図２５に示すごとく、壁部２４の内側面に設けてもよい。
その他は、実施例２又は実施例６と同様である。
【００５９】
本例の場合には、貫通冷媒流路４１を流れる冷却媒体Ｗと、半導体モジュール２の周囲の雰囲気との間の熱交換効率を高めやすい部分に集中して、凹凸部１４を設けることにより、構造の簡素化を図りつつ、周囲の雰囲気の冷却を効果的に行うことができる。
その他、実施例２又は実施例６と同様の作用効果を有する。
【００６０】
（実施例１０）
本例は、図２６〜図２９に示すごとく、蓋部３に凹凸部１４を設けた例である。
凹凸部１４は、図２６、図２７に示すごとく、蓋部３の外側面に設けてもよいし、図２８、図２９に示すごとく、蓋部３の内側面に設けてもよい。
また、凹凸部１４の形状は、図２６、図２８に示すごとく、鋸歯状に形成してもよいし、図２７、図２９に示すごとく、多数のピンを立設した形状としてもよい。或いは、凹凸部１４の形状を、これら以外の種々の形状とすることもできる。
なお、本例において、蓋部３は樹脂成形体からなり、凹凸部１４と共に一体成形されている。
その他は、実施例１と同様である。
【００６１】
本例の場合には、比較的広い面積に凹凸部１４を形成しやすくなるため、その周囲の雰囲気温度を効果的に低下させることができる。
その他、実施例１と同様の作用効果を有する。
【００６２】
（実施例１１）
本例は、図３０、図３１に示すごとく、凹凸部１４を、冷媒導入管５１及び冷媒排出管５２に設けた例である。
具体的には、円筒状の冷媒導入管５１及び冷媒排出管５２の外側面に、外方へ突出した鋸歯状の凹凸部１４が形成されている。凹凸部１４は、積層方向に直交する方向から見たとき、鋸歯状となる形状を有している。
なお、本例において、蓋部３は樹脂成形体からなり、凹凸部１４と共に一体成形されている。
その他は、実施例１と同様である。
【００６３】
本例の場合には、半導体素子２１からの受熱量が比較的少なくなりやすい冷媒導入管５１及び冷媒排出管５２を流れる冷却媒体Ｗによって、周囲の雰囲気を冷却することができるため、その冷却効率を高くすることができる。
その他、実施例１と同様の作用効果を有する。
【００６４】
（実施例１２）
本例は、図３２、図３３に示すごとく、凹凸部１４を、冷媒導入管５１及び冷媒排出管５２に設けた他の例である。
本例においては、凹凸部１４は、積層方向から見たとき、鋸歯状となる形状を有している。
その他は、実施例１１と同様の構成を有し、同様の作用効果を有する。
【００６５】
本発明は、上記実施例以外にも種々の態様をとることができる。
例えば、凹凸部１４を、壁部２４の内側面と外側面との双方に形成したり、壁部２４と冷媒導入管５１及び冷媒排出管５２との双方に形成するなど、上記実施例を適宜、複数組み合わせた態様とすることもできる。
【符号の説明】
【００６６】
１  電力変換装置
１４  凹凸部
２  半導体モジュール
２１  半導体素子
２２  放熱板
２２１  放熱面
２３  封止部
２４  壁部
３  蓋部
４  冷媒流路
４１  貫通冷媒流路
４２  沿面冷媒流路
５１  冷媒導入管
５２  冷媒排出管
【図１】
2012005191.tif 000003
【図２】
2012005191.tif 000004
【図３】
2012005191.tif 000005
【図４】
2012005191.tif 000006
【図５】
2012005191.tif 000007
【図６】
2012005191.tif 000008
【図７】
2012005191.tif 000009
【図８】
2012005191.tif 000010
【図９】
2012005191.tif 000011
【図１０】
2012005191.tif 000012
【図１１】
2012005191.tif 000013
【図１２】
2012005191.tif 000014
【図１３】
2012005191.tif 000015
【図１４】
2012005191.tif 000016
【図１５】
2012005191.tif 000017
【図１６】
2012005191.tif 000018
【図１７】
2012005191.tif 000019
【図１８】
2012005191.tif 000020
【図１９】
2012005191.tif 000021
【図２０】
2012005191.tif 000022
【図２１】
2012005191.tif 000023
【図２２】
2012005191.tif 000024
【図２３】
2012005191.tif 000025
【図２４】
2012005191.tif 000026
【図２５】
2012005191.tif 000027
【図２６】
2012005191.tif 000028
【図２７】
2012005191.tif 000029
【図２８】
2012005191.tif 000030
【図２９】
2012005191.tif 000031
【図３０】
2012005191.tif 000032
【図３１】
2012005191.tif 000033
【図３２】
2012005191.tif 000034
【図３３】
2012005191.tif 000035
【図３４】
2012005191.tif 000036